(57)【要約】【課題】  筐体の上面に配備したズーム調節用及びフォーカス調節用の２つの操作つまみを、手で掴みやすい形状のレンズキャップを用いて楽に円滑に回転操作する。【解決手段】  レンズ鏡筒１００に着脱可能なレンズキャップ５と、筐体１の上面に配備した操作つまみ２とを有する。操作つまみ２を、ズーム調節用の第１操作つまみ３とフォーカス調節用の第２操作つまみ４とに分け、それらの操作つまみ３，４をレンズキャップ５で回転操作可能とする。レンズキャップ５に２つの第１凸部６２と３つの第２凸部７２とを設けるのに対し、第１操作つまみ３に２つの第１凹部６１を設け、かつ、第２操作つまみ４に３つの第２凹部７１を設ける。第１凸部６２を第１凹部６１に嵌合させてレンズキャップ５を回転すると、第１操作つまみ３が回転する。第２凸部７２を第２凹部７１に嵌合させてレンズキャップ５を回転すると、第２操作つまみ４が回転する。【選択図】        図６
2006301227.tif 000002
【特許請求の範囲】
【請求項１】
ズーム調節又はフォーカス調節を行うための操作つまみがレンズ鏡筒に取り付けられていて、そのレンズ鏡筒に着脱されるレンズキャップに、当該レンズキャップを上記レンズ鏡筒に装着したときにそのレンズ鏡筒の被係合部に係合する係合爪を備える突起が備わり、かつ、当該レンズキャップが紐状体を介して筐体につながれているプロジェクタにおいて、
上記操作つまみをその表面が筐体の上面と面一状態でその筐体の外部に臨んでいる操作つまみに変更することにより、その操作つまみを手の指で回転させてズーム調節又はフォーカス調節が可能となるように構成すると共に、その操作つまみが、円板状に形成されたズーム調節用の第１操作つまみと、円環状に形成されて上記第１操作つまみの周囲に同心状に配備されたフォーカス調節用の第２操作つまみとに分かれていて、レンズ鏡筒から取り外した上記レンズキャップを上記第１及び第２の各操作つまみに個別に装着して回転させることによりそれらの各操作つまみを個別に回転操作可能としてあり、
上記レンズキャップの上記第１操作つまみに対する第１装着手段が、第１操作つまみの等角度おきの周方向２箇所のそれぞれに形成された第１凹部と、レンズキャップの面板部表面の等角度おきの周方向２箇所のそれぞれに形成されて上記第１凹部に嵌脱可能な第１凸部とによって構成され、かつ、上記レンズキャップの上記第２操作つまみに対する第２装着手段が、第２操作つまみの等角度おきの周方向３箇所のそれぞれに形成された第２凹部と、レンズキャップの等角度おきの周方向３箇所に形成されて上記第２凹部に嵌脱可能な上記突起でなる第２凸部とによって構成されていることを特徴とするプロジェクタ。
【請求項２】
表面が筐体の外部に臨んでいる円形又は環形の操作つまみを回転させることによってズーム調節又はフォーカス調節が行われるように構成されていると共に、レンズ鏡筒に着脱されるレンズキャップを備え、レンズ鏡筒から取り外した上記レンズキャップを上記操作つまみに装着して回転させることによりその操作つまみを回転操作可能としたことを特徴とするプロジェクタ。
【請求項３】
上記レンズキャップの上記操作つまみに対する装着手段が、レンズキャップと操作つまみの表面との一方側に設けられた凸部と他方側に設けられて上記凸部が嵌脱可能な凹部とを有する請求項２に記載したプロジェクタ。
【請求項４】
上記操作つまみが、ズーム調節用の第１操作つまみとフォーカス調節用の第２操作つまみとに分かれていて、上記装着手段が、レンズキャップと第１操作つまみの表面との一方側に設けられた第１凹部と他方側に設けられて上記第１凹部に嵌脱可能な第１凸部とを有する第１装着手段と、レンズキャップと第２操作つまみの表面との一方側に設けられた第２凹部と他方側に設けられて上記第２凹部に嵌脱可能な第２凸部とを有する第２装着手段とに分かれている請求項３に記載したプロジェクタ。
【請求項５】
上記第１操作つまみと上記第２操作つまみとのうちの一方が円板状に形成され、他方が円環状に形成されて上記円板状の操作つまみの周囲に同心状に配備されている請求項４に記載したプロジェクタ。
【請求項６】
上記レンズキャップの周方向複数箇所に上記第１凸部が、上記第１操作つまみの周方向複数箇所に上記第１凹部がそれぞれ設けられていると共に、上記レンズキャップの他の周方向複数箇所に上記第２凸部が、上記第２操作つまみの周方向複数箇所に上記第２凹部がそれぞれ設けられている請求項４又は請求項５に記載したプロジェクタ。
【請求項７】
上記レンズキャップの外周部に、そのレンズキャップを上記レンズ鏡筒に装着したときにそのレンズ鏡筒の被係合部に係合する係合爪を備える突起が備わり、その突起によって上記第２凸部が形成されている請求項６に記載したプロジェクタ。
【請求項８】
上記レンズキャップの１箇所に設けられている上記第１凸部が、上記筐体とレンズキャップとをつなぐ紐状体の連結に用いられている請求項６又は請求項７に記載したプロジェクタ。
【発明の詳細な説明】
【技術分野】
【０００１】
本発明は、プロジェクタ、特に、レンズ鏡筒に着脱されるレンズキャップを備えている共に、ズーム調節やフォーカス調節が操作つまみを操作することによって行われるようになっているプロジェクタに関する。
【背景技術】
【０００２】
従来、カメラの分野では、レンズ鏡筒にレンズキャップを着脱すること（たとえば、特許文献１、特許文献２参照）、レンズ鏡筒に、レンズキャップの代わりにレンズ保護カバーとしてのバリヤを開閉機構を設けるもの（たとえば、特許文献３参照）、不要な光束がレンズに入り込むことを防ぐためのレンズフードを着脱すること（たとえば、特許文献４参照）などが知られていた。
【０００３】
一方、カメラと同様の光学機器として知られているプロジェクタでは、レンズを前後に変位させてズーム調節やフォーカス調節を行うことが公知であると共に、レンズを保護するためにレンズ鏡筒にレンズキャップを着脱すること、そのレンズキャップを紐で筐体につないで紛失などを防ぐことなどが公知である。そして、一般的なプロジェクタでは、ズーム調節やフォーカス調節を行うための操作つまみがレンズ鏡筒に取り付けられていて、手でその操作つまみを回転操作するようにしていた。
【特許文献１】特開２０００−２３５２１３号公報
【特許文献２】実開平２−１７７２３号公報
【特許文献３】特開平５−１９３３１号公報
【特許文献４】特開平６−２６５７６７公報
【発明の開示】
【発明が解決しようとする課題】
【０００４】
ところで、操作つまみがレンズ鏡筒に取り付けられているプロジェクタでは、その操作つまみの使い勝手が悪かったために、その操作性を改善することが要望された。
【０００５】
そこで、図５に示したように、ズーム調節やフォーカス調節を行うための操作つまみ２をプロジェクタの筐体１の上面に配備してその平坦な表面を筐体１の上面と略面一に位置させると共に、手の指をその操作つまみ２の表面に押し当てて回転させるようにすることを試みた。このように操作つまみの設置箇所を、従来のレンズ鏡筒１００から筐体１の上面に変更しても、その操作つまみ２とレンズ鏡筒１００とを歯車機構などで連動連結しておくことによってズーム調節やフォーカス調節が可能である。
【０００６】
しかしながら、筐体１の上面に配備した操作つまみ２に手の指を押し当てて回転操作すると、操作つまみ２の上面が平坦面であるために手の指が滑ったりして回転させにくいということが知見された。そこで、その点を改善するために、操作つまみ２の表面に凹凸を付けて滑りにくくしたり、操作つまみ２を筐体１の上面から大きく突出させて指で掴めるようにすることも考えられたが、そのようにすると、ゴミが溜まりやすくなったり好ましい外観が得られなかったりするということが懸念された。
【０００７】
そこで、本願発明者は、プロジェクタに一般的に備わっている上記レンズキャップ５が手の指で掴みやすい形状を備えており、しかも、そのレンズキャップ５は、操作つまみ２を回転操作する必要のあるときはレンズ鏡筒１００から取り外されているという点に着目し、このレンズキャップ５を用いて筐体１の上面に配備された操作つまみの回転操作性を改善することを目的として本願発明を完成するに至った。
【０００８】
すなわち、本発明は、レンズキャップを用いて筐体の上面に配備された操作つまみの回転操作性を改善することのできるプロジェクタを提供することを目的とする。
【０００９】
また、本発明は、レンズキャップ以外に別部品を用いずに筐体の上面に配備された操作つまみの回転操作性を改善することのできるプロジェクタを提供することを目的とする。
【００１０】
さらに、本発明は、操作つまみがズーム調節用の第１操作つまみとフォーカス調節用の第２操作つまみとに分かれていても、１つのレンズキャップを用いてそれらの操作つまみを個別に操作することのできるプロジェクタを提供することを目的とする。
【課題を解決するための手段】
【００１１】
本発明に係るプロジェクタは、表面が筐体の外部に臨んでいる円形又は環形の操作つまみを回転させることによってズーム調節又はフォーカス調節が行われるように構成されていると共に、レンズ鏡筒に着脱されるレンズキャップを備え、レンズ鏡筒から取り外した上記レンズキャップを上記操作つまみに装着して回転させることによりその操作つまみを回転操作可能としたものである。これによれば、レンズキャップが手の指で掴みやすい形状を備えているために操作つまみの操作性が改善される。
【００１２】
本発明では、上記レンズキャップの上記操作つまみに対する装着手段が、レンズキャップと操作つまみの表面との一方側に設けられた凸部と他方側に設けられて上記凸部が嵌脱可能な凹部とを有するものであることが望ましく、これによれば、凹部と凸部とを操作つまみとレンズキャップとに振り分けて設けるだけで装着手段が構成されるので、別部品を用いずに操作つまみの操作性が改善される。
【００１３】
本発明では、上記操作つまみが、ズーム調節用の第１操作つまみとフォーカス調節用の第２操作つまみとに分かれていて、上記装着手段が、レンズキャップと第１操作つまみの表面との一方側に設けられた第１凹部と他方側に設けられて上記第１凹部に嵌脱可能な第１凸部とを有する第１装着手段と、レンズキャップと第２操作つまみの表面との一方側に設けられた第２凹部と他方側に設けられて上記第２凹部に嵌脱可能な第２凸部とを有する第２装着手段とに分かれているという構成を採用することが可能であり、これによれば、１つのレンズキャップでズーム調節用の第１操作つまみとフォーカス調節用の第２操作つまみとを回転操作することが可能になる。
【００１４】
本発明では、上記第１操作つまみと上記第２操作つまみとのうちの一方が円板状に形成され、他方が円環状に形成されて上記円板状の操作つまみの周囲に同心状に配備されていることが望ましく、これによれば、筐体の１箇所に第１操作つまみと第２操作つまみとが集めて配備されるので、それらの操作つまみの設置スペースを狭く抑えることが可能になる。
【００１５】
本発明では、上記レンズキャップの周方向複数箇所に上記第１凸部が、上記第１操作つまみの周方向複数箇所に上記第１凹部がそれぞれ設けられていると共に、上記レンズキャップの他の周方向複数箇所に上記第２凸部が、上記第２操作つまみの周方向複数箇所に上記第２凹部がそれぞれ設けられている、という構成を採用することが可能であり、これによれば、第１操作つまみや第２操作つまみを回転操作するときに、レンズキャップを手で掴んで回転させやすいという利点がある。
【００１６】
本発明では、上記レンズキャップの外周部に、そのレンズキャップを上記レンズ鏡筒に装着したときにそのレンズ鏡筒の被係合部に係合する係合爪を備える突起が備わり、その突起によって上記第２凸部が形成されていることが望ましい。これによれば、レンズキャップにもともと備わっている突起が第２凸部として活用されるために、レンズキャップに別途第２凸部を形成する必要がない。
【００１７】
本発明では、上記レンズキャップの１箇所に設けられている上記第１凸部が、上記筐体とレンズキャップとをつなぐ紐状体の連結に用いられていることが望ましい。これによれば、レンズキャップにもともと設けられている紐状体の連結部が第１凸部として活用されることになる。
【００１８】
本発明に係るプロジェクタは、ズーム調節又はフォーカス調節を行うための操作つまみがレンズ鏡筒に取り付けられていて、そのレンズ鏡筒に着脱されるレンズキャップに、当該レンズキャップを上記レンズ鏡筒に装着したときにそのレンズ鏡筒の被係合部に係合する係合爪を備える突起が備わり、かつ、当該レンズキャップが紐状体を介して筐体につながれているプロジェクタにおいて、上記操作つまみをその表面が筐体の上面と面一状態でその筐体の外部に臨んでいる操作つまみに変更することにより、その操作つまみを手の指で回転させてズーム調節又はフォーカス調節が可能となるように構成すると共に、その操作つまみが、円板状に形成されたズーム調節用の第１操作つまみと、円環状に形成されて上記第１操作つまみの周囲に同心状に配備されたフォーカス調節用の第２操作つまみとに分かれていて、レンズ鏡筒から取り外した上記レンズキャップを上記第１及び第２の各操作つまみに個別に装着して回転させることによりそれらの各操作つまみを個別に回転操作可能としてあり、上記レンズキャップの上記第１操作つまみに対する第１装着手段が、第１操作つまみの等角度おきの周方向２箇所のそれぞれに形成された第１凹部と、レンズキャップの面板部表面の等角度おきの周方向２箇所のそれぞれに形成されて上記第１凹部に嵌脱可能な第１凸部とによって構成され、かつ、上記レンズキャップの上記第２操作つまみに対する第２装着手段が、第２操作つまみの等角度おきの周方向３箇所のそれぞれに形成された第２凹部と、レンズキャップの等角度おきの周方向３箇所に形成されて上記第２凹部に嵌脱可能な上記突起でなる第２凸部とによって構成されている、という構成を採用することによっていっそう具体化される。この発明の作用は後述する実施形態を参照して詳細に説明する。
【発明の効果】
【００１９】
以上のように、本発明に係るプロジェクタは、筐体の上面に配備されているズーム調節用又はフォーカス調節用の操作つまみを、手で掴みやすい形状のレンズキャップを用いて回転操作することが可能であるので、その操作つまみの操作性が向上して正確なズーム調節やフォーカス調整を行うことが可能になる。また、レンズキャップを操作つまみに装着するための装着手段が、レンズキャップと操作つまみとに個別に形成した凹部や凸部によって形成されているので、別部品を用いる必要がなく、量産性に優れるものであるということが云える。その上、操作つまみがズーム調節用の第１操作つまみとフォーカス調節用の第２操作つまみとに分かれていても、１つのレンズキャップを用いてそれらの操作つまみを個別に操作することが可能であるということも、それらの操作つまみの操作性を向上させることに役立っている。
【発明を実施するための最良の形態】
【００２０】
図１は本発明に係るプロジェクタに用いられているレンズキャップ５をその内側から見た背面図、図２は同レンズキャップ５の側面図、図３は図１のＩＩＩ−ＩＩＩ線断面図、図４はレンズキャップ５をレンズ鏡筒１００に装着した状態の部分縦断側面図、図５は操作つまみ２の平面図、図６はレンズキャップ５の使用状態を示した縦断側面図、図７はレンズキャップ５の他の使用状態を示した縦断側面図である。
【００２１】
図８にも示したように、このプロジェクタでは、レンズキャップ５の紛失を防ぐためにそのレンズキャップ５を紐状体５１で筐体１につないであり、プロジェクタを使用しないときには、レンズキャップ５をレンズ鏡筒１００に装着してレンズを保護することができるようになっている。そのため、図１〜図３又は図４に示したように、レンズキャップ５は、その面板部５２の外周部の１箇所に紐状体５１が連結された連結部５３を備えているのに対し、面板部５２の外周に連設された筒部５４の端縁に、等角度おきの周方向３箇所に位置する突起５５…が備わり、それらの突起５５の内側に、レンズ鏡筒１００の先端フランジによって形成された被係合部１１０に係脱可能な係合爪５６が設けられている。そして、レンズキャップ５がレンズ鏡筒１００に装着されているときには、図４のように係合爪５６が被係合部１１０に係合してレンズキャップ５の脱落を防いでいる。
【００２２】
図８を参照して説明したように、操作つまみ２は、筐体１の上面と面一状態でその筐体１の外部に臨んでおり、手の指を押し当てて回転操作することによってズーム調節とフォーカス調節とが行われるようになっている。具体的には、図５又は図８のように、操作つまみ２を、円板状に形成されたズーム調節用の第１操作つまみ３と、円環状に形成されて第１操作つまみ３の周囲に同心状に配備されたフォーカス調節用の第２操作つまみ４とに分けることによって、狭いスペースに２つの操作つまみ３，４を配備している。そして、この実施形態では、レンズ鏡筒１００から取り外したレンズキャップ５を第１操作つまみ３と第２操作つまみ４とに個別に装着して、１つのレンズキャップ５によって各操作つまみ３，４を個別に回転操作することができる構成を採用している。以下、そのための構成を説明する。
【００２３】
レンズキャップ５を操作つまみ２に装着するための装着手段は、第１及び第２の２つの装着手段６，７に分かれていて、第１装着手段６は、レンズキャップ５をズーム調節用の第１操作つまみ３に装着することに用いられ（図６参照）、第２装着手段７は、レンズキャップ５をフォーカス調節用の第２操作つまみ４に装着することに用いられる（図７参照）。そして、第１装着手段６は、第１操作つまみ３の等角度おきの周方向２箇所のそれぞれに形成された第１凹部６１，６１と、レンズキャップ５の面板部５２の表面の等角度おきの周方向２箇所のそれぞれに形成された第１凸部６２，６２とによって構成されていて、２つの第１凸部６２，６２は２箇所の第１凹部６１，６１に各別に嵌脱可能である。また、２つの第１凸部６２，６２のうちの一方の第１凸部６２は、紐状体５１の連結部５３を他方の第１凸部６２と同一高さに定めることによって形成されている。これに対し、第２装着手段７は、第２操作つまみ４の等角度おきの周方向３箇所のそれぞれに形成された第２凹部７１…と、レンズキャップ５の筒部５４の端面の等角度おきの周方向３箇所に形成された第２凸部７２…とによって構成されていて、３つの第２凸部７２…は３箇所の第２凹部７１…に各別に嵌脱可能である。また、３つの第２凸部７２…は、上記した係合爪５６を備えた突起５５そのものによって形成されている。
【００２４】
以上のように構成されたプロジェクタにおいて、ズーム調節を行うときには、レンズ鏡筒１００から取り外したレンズキャップ５を図６のように裏返して第１操作つまみ３の上に置いてそのレンズキャップ５の２つの第１凸部６２，６２を第１操作つまみ３の２箇所の第１凹部６１，６１に嵌合させ、その状態で、矢印ａのように正方向又は逆方向に回転させる。この場合、レンズキャップ５は本来レンズ鏡筒１００に装着されるものであるために手の指で掴みやすい形状ないし大きさを有しており、しかも、レンズキャップ５の中心を挟んで互いに反対側に位置している２つの第１凸部６２，６２が第１操作つまみ３の中心を挟んで互いに反対側に位置している２箇所の第１凹部６１，６１に嵌合しているために、レンズキャップ５を介して第１操作つまみ３を回転させる操作を非常に容易にかつ円滑に行うことができるようになり、そのことが、ズーム調節を正確に行うことに役立つ。また、フォーカス調節を行うときには、レンズ鏡筒１００から取り外したレンズキャップ５を図７のように第２操作つまみ４の上に置いてそのレンズキャップ５の３つの第２凸部７２…を第２操作つまみ４の３箇所の第２凹部７１…に嵌合させ、その状態で、矢印ｂのように正方向又は逆方向に回転させる。この場合にも、レンズキャップ５が手の指で掴みやすい形状ないし大きさを有しており、しかも、レンズキャップ５の等角度おきの３つの第２凸部７２…が第２操作つまみ４の等角度おきの３箇所に位置している第２凹部７１…に嵌合しているために、レンズキャップ５を介して第２操作つまみ４を回転させる操作を非常に容易にかつ円滑に行うことができ、そのことが、フォーカス調節を正確に行うことに役立つ。
【００２５】
本発明に係るプロジェクタの構成は実施形態に限定されない。すなわち、第１装着手段６については、第１凹部をレンズキャップ５側に設け、第１凸部を第１操作つまみ３側に設けてもよく、第２装着手段７については、第２凹部をレンズキャップ５側に設け、第２凸部を第２操作つまみ４側に設けてもよい。また、１つの操作つまみを操作するだけでズーム調節とフォーカス調節とが同時に行われるものでは、操作つまみを１つだけ設けておけばよい。さらに、第１操作つまみと第２操作つまみとを筐体１の別の箇所に配備することも可能である。そのほか、第１及び第２の凹部の数や第１及び第２の凸部の数も図例に限定されないことは勿論である。
【図面の簡単な説明】
【００２６】
【図１】本発明に係るプロジェクタに用いられているレンズキャップの背面図である。
【図２】同レンズキャップの側面図である。
【図３】図１のＩＩＩ−ＩＩＩ線断面図である。
【図４】レンズキャップをレンズ鏡筒に装着した状態の部分縦断側面図である。
【図５】操作つまみの平面図である。
【図６】レンズキャップの使用状態を示した縦断側面図である。
【図７】レンズキャップの他の使用状態を示した縦断側面図である。
【図８】プロジェクタの外観斜視図である。
【符号の説明】
【００２７】
１  筐体
２  操作つまみ
３  第１操作つまみ
４  第２操作つまみ
５  レンズキャップ
６  第１装着手段
７  第２装着手段
５１  紐状体
５２  レンズキャップの面板部
５５  突起
５６  係合爪
６１  第１凹部
６２  第１凸部
７１  第２凹部
７２  第２凸部
１００  レンズ鏡筒
１１０  レンズ鏡筒の被係合部
【図１】
2006301227.tif 000003
【図２】
2006301227.tif 000004
【図３】
2006301227.tif 000005
【図４】
2006301227.tif 000006
【図５】
2006301227.tif 000007
【図６】
2006301227.tif 000008
【図７】
2006301227.tif 000009
【図８】
2006301227.tif 000010